【手続補正書】
【提出日】平成20年4月7日(2008.4.7)
【手続補正１】
【補正対象書類名】明細書
【補正対象項目名】特許請求の範囲
【補正方法】変更
【補正の内容】
【特許請求の範囲】
【請求項１】  圧電基板上に表面波の伝搬方向に沿って中央ＩＤＴ電極とその両側のＩＤＴ電極とからなる３つのＩＤＴ電極を近接配置すると共にそれらの両側にグレーティング反射器を配設した１次−３次縦結合二重モード弾性表面波フィルタにおいて、前記中央ＩＤＴ電極を構成する一方のくし形電極と他方のくし形電極の電極指数が同数であり、前記中央ＩＤＴ電極を平衡端子に接続したことを特徴とする平衡型弾性表面波フィルタ。
【請求項２】  帯域幅を広げるための幅広の電極指を前記両側のＩＤＴ電極にそれぞれ接続したことを特徴とする請求項１に記載の平衡型弾性表面波フィルタ。
【請求項３】  前記両側のＩＤＴ電極の一方が他方より奇数本だけ電極指数が多いことを特徴とする請求項１または請求項２に記載の平衡型弾性表面波フィルタ。
【請求項４】  前記幅広の電極指と前記中央ＩＤＴ電極との間に、前記両側のＩＤＴ電極の少なくとも一方に接続された奇数本の電極指を設けたことを特徴とする請求項２に記載の平衡型弾性表面波フィルタ。
【請求項５】  前記中央ＩＤＴ電極と前記両側のＩＤＴ電極との間に、前記両側のＩＤＴ電極の一方の極性のくし形電極に接続した複数本の電極指を設けたことを特徴とする請求項１乃至４のいずれか一項に記載の平衡型弾性表面波フィルタ。
【請求項６】  前記両側のＩＤＴ電極の一方の極性のくし形電極に接続した前記複数本の電極指の数が、前記両側のＩＤＴ電極の一方と他方とで奇数本だけ異なっていることを特徴とする請求項５に記載の平衡型弾性表面波フィルタ。
【請求項７】  前記両側のＩＤＴ電極に接続されている電極指のうち、前記中央ＩＤＴ電極に隣接する電極指が接地されていることを特徴とする請求項１乃至６のいずれか一項に記載の平衡型弾性表面波フィルタ。
【請求項８】  ＩＤＴ電極とその両側にグレーティング反射器を配置した弾性表面波共振子を請求項１乃至７のいずれか一項に記載の平衡型弾性表面波フィルタの不平衡側の端子に直列接続したことを特徴とする平衡型弾性表面波フィルタ。
【請求項９】  縦続接続した２つの１次−３次縦結合二重モード弾性表面波フィルタのうち、少なくとも１つが、請求項１乃至８のいずれか一項に記載の平衡型弾性表面波フィルタであることを特徴とする平衡型弾性表面波フィルタ。
【請求項１０】  ＩＤＴ電極とその両側にグレーティング反射器を配置した弾性表面波共振子を前記縦続接続した２つの１次−３次縦結合二重モード弾性表面波フィルタの段間に少なくとも１つ設け、これを直列接続したことを特徴とする請求項９に記載の平衡型弾性表面波フィルタ。
【手続補正２】
【補正対象書類名】明細書
【補正対象項目名】００１０
【補正方法】変更
【補正の内容】
【００１０】
【課題を解決するための手段】
［適用例１］
圧電基板上に表面波の伝搬方向に沿って中央ＩＤＴ電極とその両側のＩＤＴ電極とからなる３つのＩＤＴ電極を近接配置すると共にそれらの両側にグレーティング反射器を配設した１次−３次縦結合二重モード弾性表面波フィルタにおいて、前記中央ＩＤＴ電極を構成する一方のくし形電極と他方のくし形電極の電極指数が同数であり、前記中央ＩＤＴ電極を平衡端子に接続したことを特徴とする平衡型弾性表面波フィルタ。
［適用例２］
帯域幅を広げるための幅広の電極指を前記両側のＩＤＴ電極にそれぞれ接続したことを特徴とする適用例１に記載の平衡型弾性表面波フィルタ。
［適用例３］
前記両側のＩＤＴ電極の一方が他方より奇数本だけ電極指数が多いことを特徴とする適用例１または適用例２に記載の平衡型弾性表面波フィルタ。
［適用例４］
前記幅広の電極指と前記中央ＩＤＴ電極との間に、前記両側のＩＤＴ電極の少なくとも一方に接続された奇数本の電極指を設けたことを特徴とする適用例２に記載の平衡型弾性表面波フィルタ。
［適用例５］
前記中央ＩＤＴ電極と前記両側のＩＤＴ電極との間に、前記両側のＩＤＴ電極の一方の極性のくし形電極に接続した複数本の電極指を設けたことを特徴とする適用例１乃至４のいずれか一つに記載の平衡型弾性表面波フィルタ。
［適用例６］
前記両側のＩＤＴ電極の一方の極性のくし形電極に接続した前記複数本の電極指の数が、前記両側のＩＤＴ電極の一方と他方とで奇数本だけ異なっていることを特徴とする適用例５に記載の平衡型弾性表面波フィルタ。
［適用例７］
前記両側のＩＤＴ電極に接続されている電極指のうち、前記中央ＩＤＴ電極に隣接する電極指が接地されていることを特徴とする適用例１乃至６のいずれか一つに記載の平衡型弾性表面波フィルタ。
［適用例８］
ＩＤＴ電極とその両側にグレーティング反射器を配置した弾性表面波共振子を適用例１乃至７のいずれか一つに記載の平衡型弾性表面波フィルタの不平衡側の端子に直列接続したことを特徴とする平衡型弾性表面波フィルタ。
［適用例９］
縦続接続した２つの１次−３次縦結合二重モード弾性表面波フィルタのうち、少なくとも１つが、適用例１乃至８のいずれか一つに記載の平衡型弾性表面波フィルタであることを特徴とする平衡型弾性表面波フィルタ。
［適用例１０］
ＩＤＴ電極とその両側にグレーティング反射器を配置した弾性表面波共振子を前記縦続接続した２つの１次−３次縦結合二重モード弾性表面波フィルタの段間に少なくとも１つ設け、これを直列接続したことを特徴とする適用例９に記載の平衡型弾性表面波フィルタ。
【手続補正３】
【補正対象書類名】明細書
【補正対象項目名】００２８
【補正方法】変更
【補正の内容】
【００２８】
【発明の効果】
本発明は、以上説明したように構成したので、或る実施例では１対の平衡端子間の位相差誤差及び振幅誤差を大幅に改善できるという優れた効果を表す。また或る実施例ではインピーダンスの改善されるため、パスバンド特性が改善されると共に、１対の平衡端子間の位相差誤差及び振幅誤差を大幅に改善できるという優れた効果を表す。また或る実施例では１対の平衡端子間の位相差誤差及び振幅誤差を大幅に改善できると共に、外側の一方のＩＤＴ電極の極性を変えることができ、縦続接続する際に自由度が増すという利点がある。また或る実施例では１対の平衡端子間の位相差誤差及び振幅誤差を大幅に改善できると共に、帯域幅を拡大し、外側のＩＤＴ電極の極性を変えることができるという優れた効果を奏す。また或る実施例では１対の平衡端子間の位相差誤差及び振幅誤差を大幅に改善できるという優れた効果を奏す。また或る実施例では入出力インピーダンスが互いに異なる平衡型の縦続接続型二重モードＳＡＷフィルタの位相差誤差及び振幅誤差を大幅に改善できるという優れた効果を奏す。また或る実施例では入出力インピーダンスが互いに異なる平衡型二重ＳＡＷモードフィルタの位相差誤差及び振幅誤差を大幅に改善できるという優れた効果と、外側のＩＤＴ電極の一方の電極の位相を１８０°シフトさせるという効果を奏す。また或る実施例では縦続接続型二重モードＳＡＷフィルタの入出力インピーダンスを互いに異ならせ、位相差誤差及び振幅誤差を大幅に改善できると共に、第１の二重モードＳＡＷフィルタの外側のＩＤＴ電極を構成するくし形電極の極性を変えたものができるという優れた効果を奏す。また或る実施例では位相差誤差及び振幅誤差を大幅に改善できると共に、有極構成ができるという優れた効果を奏す。また或る実施例では位相差誤差及び振幅誤差を大幅に改善できると共に、有極構成ができるという優れた効果を奏す。